(57)【要約】【課題】  ノブの表示面積が小さい場合であっても、ユーザーがノブに対するタッチ操作を容易に行なうことができるようにする。【解決手段】  制御部１０は、表示部１１に、第１方向Ｘに沿って延びる本体２１と、本体２１に配置されているノブ２２と、を含むスクロールバー２３を、予め定められている第１の位置に表示させる。制御部１０は、タッチパネル１２を介して、表示領域２５に対する第１のタッチ操作、及び、本体部分に対する第２のタッチ操作を同時期に受付けた場合に、表示部１１に、第２のタッチ操作が行なわれた第２の位置にノブ２２が表示されるように、スクロールバー２３を第１の位置から移動させる。【選択図】図３
2020160738.tif 000002
【特許請求の範囲】
【請求項１】
制御部と、表示部と、タッチパネルと、を備え、
前記制御部は、
前記表示部に、予め定められている方向に沿って延びる本体と、前記本体に配置されているノブと、を含むスクロールバーを、予め定められている第１の位置に表示させ、
前記タッチパネルを介して、前記スクロールバーが表示されていない部分に対する第１のタッチ操作、及び、前記本体における前記ノブが配置されていない部分に対する第２のタッチ操作を同時期に受付けた場合に、前記表示部に、前記第２のタッチ操作が行なわれた第２の位置に前記ノブが表示されるように、前記スクロールバーを前記第１の位置から移動させる、表示装置。
【請求項２】
前記制御部は、前記タッチパネルを介して前記第１のタッチ操作及び前記第２のタッチ操作を同時期に受付けた後に、前記第２のタッチ操作が解除された場合、前記表示部に、前記スクロールバーを前記第１の位置に移動させて表示させる、請求項１に記載の表示装置。
【請求項３】
前記制御部は、
前記タッチパネルを介して前記第１のタッチ操作及び前記第２のタッチ操作を同時期に受付けた場合に、前記タッチパネルを介した、前記ノブに対する前記予め定められている方向のスライド操作の受付けを禁止し、
前記タッチパネルを介して前記第１のタッチ操作及び前記第２のタッチ操作を同時期に受付けた後に、前記第１のタッチ操作のみが解除された場合、前記スライド操作の受付けを許可する、請求項１又は請求項２に記載の表示装置。
【請求項４】
前記制御部は、
前記表示部に、前記スクロールバーとともに、表示対象の画像の一部分を前記スクロールバーが表示されていない部分に表示させ、
前記予め定められている方向の長さについて、前記画像の長さに対する前記一部分の長さの割合と、前記本体の長さに対する前記ノブの長さの割合とが同じとなり、かつ、前記予め定められている方向の位置について、前記本体における前記ノブの位置が前記画像における前記一部分の位置に対応するように、前記スクロールバーを表示させ、
前記タッチパネルを介して前記ノブに対する前記予め定められている方向のスライド操作を受け付けると、前記表示部に、前記ノブが前記スライド操作の移動先の位置に表示されるまで前記ノブを移動させるとともに、前記画像における移動後の前記ノブの位置に対応する一部分が表示されるまで、前記画像を前記予め定められている方向にスクロールさせる、請求項３に記載の表示装置。
【発明の詳細な説明】
【技術分野】
【０００１】
本発明は、表示装置に関し、特に、スクロールバーを表示させるための技術に関する。
【背景技術】
【０００２】
ノブを含んでいるバーを表示させる技術が知られている。例えば、特許文献１には、タッチパネル上でピンチイン操作が行なわれた位置に、第１方向に延在するバー及びノブを含むスライドバーを表示させ、当該ノブを第１方向に移動させる操作が行なわれると、ノブの移動量に応じてエレベーターの停止階を設定するタッチ入力判定装置が開示されている。
【０００３】
特許文献２には、スクロールバー内のノブアイコンに対する接触が検出されると、スクラブ速度を調整可能にするために、スクロールバーを拡大して表示させる携帯型デバイスが開示されている。
【０００４】
特許文献３には、タッチパネルディスプレイに表示されているノブとしてのスクロールボタンがユーザーによってタッチされると、スクロールバー及びスクロールボタンを拡大して表示させる画像編集装置が開示されている。
【先行技術文献】
【特許文献】
【０００５】
【特許文献１】特許第６２０７８０４号公報
【特許文献２】特開２０１５−１１７２５号公報
【特許文献３】特開２０１２−６８８１６号公報
【発明の概要】
【発明が解決しようとする課題】
【０００６】
特許文献１乃至特許文献３に開示されている技術において、バーに対応する情報量が大きい場合、バーが延びる方向に対するノブの長さが短くなるため、ユーザーの指の面積に対してノブの表示面積が小さくなる。このような場合、ユーザーは、ノブに対して直接タッチ操作を行なうことが困難になる。
【０００７】
本発明は、上記の事情に鑑みなされたものであり、ノブの表示面積が小さい場合であっても、ユーザーがノブに対するタッチ操作を容易に行なうことができるようにすることを目的とする。
【課題を解決するための手段】
【０００８】
本発明の一局面に係る表示装置は、制御部と、表示部と、タッチパネルと、を備えている。制御部は、表示部に、予め定められている方向に沿って延びる本体と、本体に配置されているノブと、を含むスクロールバーを、予め定められている第１の位置に表示させ、タッチパネルを介して、スクロールバーが表示されていない部分に対する第１のタッチ操作、及び、本体におけるノブが配置されていない部分に対する第２のタッチ操作を同時期に受付けた場合に、表示部に、第２のタッチ操作が行なわれた第２の位置にノブが表示されるように、スクロールバーを第１の位置から移動させる。
【発明の効果】
【０００９】
本発明によれば、スクロールバーが表示されていない部分に対する第１のタッチ操作、及び、本体におけるノブが配置されていない部分に対する第２のタッチ操作を行なうことによって、ユーザーは、ノブに対して直接タッチ操作を行なうことなく、ノブを選択することができるようになる。したがって、ノブの表示面積が小さい場合であっても、ユーザーはノブに対するタッチ操作を容易に行なうことができる。
【図面の簡単な説明】
【００１０】
【図１】本発明の一実施形態に係る表示装置の内部構成を示すブロック図である。
【図２】表示画面の一例を示す図である。
【図３】スクロールバー移動処理を示すフローチャートである。
【図４】第１のタッチ操作及び第２のタッチ操作の一例を示す図である。
【図５】スクロールバーが移動されたときの表示画面の一例を示す図である。
【発明を実施するための形態】
【００１１】
以下、本発明の一実施形態に係る表示装置について図面を参照して説明する。図１は、本発明の一実施形態に係る表示装置の内部構成を示すブロック図である。図１を参照して、表示装置１は、例えば、スマートフォンである。表示装置１は、制御ユニット１００と、表示部１１と、タッチパネル１２と、記憶部１３と、通信部１４と、撮像部１６と、電話通信部１７と、音声入力部１８と、音声出力部１９と、を含む。
【００１２】
制御ユニット１００は、プロセッサー、及びＲＡＭ(Random Access Memory）等を含む。プロセッサーは、例えば、ＣＰＵ（Central Processing Unit）、ＭＰＵ（Micro Processing Unit）、又はＡＳＩＣ（Application Specific Integrated Circuit）等である。制御ユニット１００は、記憶部１３に記憶されている制御プログラムが上記のプロセッサーによって実行されることにより、制御部１０として機能する。
【００１３】
制御部１０は、表示装置１の全体制御を司る。より詳細には、制御部１０は、表示装置１の各部の動作、及び、ネットワークを介して接続されているサーバー装置１５等との通信等を制御する。なお、制御部１０は、制御プログラムに基づく動作によらず、ハード回路によって動作可能に構成されていてもよい。
【００１４】
制御ユニット１００は、表示部１１、タッチパネル１２、記憶部１３、通信部１４、撮像部１６、電話通信部１７、音声入力部１８、及び、音声出力部１９等と電気的に接続されている。
【００１５】
表示部１１は、液晶ディスプレイ又は有機ＥＬ（Organic Light-Emitting Diode）ディスプレイ等によって構成される表示装置である。表示部１１は、表示装置１によって実行可能な各種機能に関する各種の画面を表示する。
【００１６】
タッチパネル１２は、表示部１１に重ねて配置されている。タッチパネル１２は、ユーザーの指によるタッチ操作を、当該タッチ操作の位置とともに検知する。ユーザーは、タッチパネル１２を介して、表示装置１によって実行可能な各種機能についての指示等を含む各種の情報を入力する。
【００１７】
記憶部１３は、フラッシュメモリー等の大容量の記憶装置である。記憶部１３は、表示装置１の一般的な動作を実現するための各種制御プログラムを記憶している。記憶部１３は、上記の各種制御プログラムの１つとして、本実施の形態に係るスクロールバー移動処理を実行するための制御プログラムを記憶している。
【００１８】
記憶部１３は、複数頁からなる書籍の内容を示す電子ファイル（以下、「電子書籍ファイル」と記す。）を複数記憶している。制御部１０は、タッチパネル１２を介して入力されるユーザーの指示に応じて、通信部１４を介して、電子書籍ファイルの提供を行なうサーバー装置１５等からダウンロードすることによって電子書籍ファイルを取得し、記憶部１３に記憶させる。
【００１９】
通信部１４は、通信モジュールを含む。表示装置１は、通信部１４を介して、ネットワーク上のサーバー装置１５等とデータ通信を行なう。
【００２０】
撮像部１６は、撮像素子及びレンズ等によって構成されるデジタルカメラである。
【００２１】
電話通信部１７は、公衆回線への接続を行ない、公衆回線を介して音声データの送受信を行なう。
【００２２】
音声入力部１８は、マイクロフォン、及び、当該マイクロフォンに入力される音声に基づくアナログ信号をデジタル信号に変換するＡ／Ｄ変換回路等を含む。
【００２３】
音声出力部１９は、音声データによって示されるデジタル信号をアナログ信号に変換するＤ／Ａ変換回路、アナログ信号に基づいて音声を出力するためのスピーカー、及びアンプ等を含む。
【００２４】
表示装置１の各部には電源が接続され、この電源から電力が供給されることによって、表示装置１の各部が動作する。
【００２５】
［動作］
以下、表示装置１の動作について説明する。以下の説明において、スライド操作とは、ユーザーが、自身の指によって表示部１１に表示されている画像をタッチし、当該指をタッチした状態のまま目的の位置まで移動させる操作を示す。以下、スライド操作による移動先の位置をスライド位置と記す。
【００２６】
以下、表示装置１は、電源が投入されている状態であるものとする。ユーザーは、タッチパネル１２を介して、記憶部１３に記憶されている複数の電子書籍ファイルのうちの１つを指定し、指定された電子書籍ファイルに基づく電子書籍画像を表示部１１に表示させるための指示を入力したものとする。タッチパネル１２を介して上記指示を受付けると、制御部１０は、表示部１１に、電子書籍画像を表示するための表示画面を表示させる。
【００２７】
図２は、表示画面の一例を示す図である。図２を参照して、表示画面２０は、予め定められている第１方向Ｘに沿って延びる本体２１と、本体２１に配置されているノブ２２と、を含むスクロールバー２３を、予め定められている第１の位置に含んでいる。上記第１の位置としては、一般的にスクロールバーが表示される位置であれば特に限定されない。ここでは、表示画面２０における、第１方向Ｘに直交する第２方向Ｙの一端部が、上記第１の位置として予め定められているものとする。表示画面２０はまた、スクロールバー２３が表示されていない部分に、表示対象の電子書籍画像２４を表示するための表示領域２５を含んでいる。
【００２８】
ここで、電子書籍画像２４は、第１方向Ｘに沿って並んでいる１００頁分の画像を含んでいるものとする。この場合、制御部１０は、電子書籍画像２４の全てを表示領域２５に一度に表示させることができない。したがって、制御部１０は、表示部１１に、電子書籍画像２４全体のうち、表示領域２５に表示可能な一部分（以下、「表示部分」と記す。）のみを表示領域２５に表示させる。ここでは、上記表示領域２５に表示可能な一部分は、電子書籍画像２４の一頁分の画像であるものとする。この場合、制御部１０は、表示部１１に、電子書籍画像２４の第１頁目の画像を、表示部分として表示させているものとする。
【００２９】
制御部１０は、電子書籍画像２４の第１方向Ｘの長さに対する上記表示部分の第１方向Ｘの長さの割合と、本体２１の第１方向Ｘの長さに対するノブ２２の第１方向Ｘの長さの割合とを、同じにする。制御部１０は、本体２１におけるノブ２２の第１方向Ｘの位置を、電子書籍画像２４における上記表示部分の第１方向Ｘの位置に対応させる。
【００３０】
制御部１０は、タッチパネル１２を介してユーザーによって入力される、ノブ２２に対する第１方向Ｘのスライド操作に応じて、電子書籍画像２４を第１方向Ｘにスクロールさせることによって、電子書籍画像２４の頁を切り替えて表示領域２５に表示させる。
【００３１】
（スクロールバー移動処理）
図３は、スクロールバー移動処理を示すフローチャートである。図３を参照して、表示部１１に表示画面２０が表示されると、制御部１０は、スクロールバー移動処理の実行を開始する。スクロールバー移動処理を開始すると、制御部１０は、タッチパネル１２を介して、表示領域２５に対する第１のタッチ操作、及び、本体２１におけるノブ２２が配置されていない部分（以下、「本体部分」と記す。）に対する第２のタッチ操作を同時期に受付けるまで、待機する（ステップＳ１１にてＮＯ）。ここで、同時期とは、同時、又は、一方のタッチ操作を受け付けてから予め定められている期間が経過する前までの期間を示す。
【００３２】
図４は、第１のタッチ操作及び第２のタッチ操作の一例を示す図である。図４を参照して、ユーザーは、表示領域２５における任意の部分４２を親指でタッチするとともに、本体部分における任意の部分４４を人差し指でタッチしたものとする。タッチパネル１２によって上記２つのタッチ操作が同時期に検知されると、制御部１０は、第１のタッチ操作及び第２のタッチ操作を同時期に受付けたと判定し（ステップＳ１１にてＹＥＳ）、タッチパネル１２を介した、ノブ２２に対する第１方向Ｘのスライド操作の受付けを禁止する（ステップＳ１２）。
【００３３】
スライド操作の受付けの禁止後、制御部１０は、表示部１１に、第２のタッチ操作が行なわれた第２の位置にノブ２２が表示されるように、スクロールバー２３を第１の位置から移動させる（ステップＳ１３）。図５は、スクロールバーが移動されたときの表示画面の一例を示す図である。図５に示す例では、第２の位置は、図４に示す部分４４に対応する位置である。スクロールバー２３の移動後、制御部１０は、第２のタッチ操作が解除されているか否かを判定する（ステップＳ１４）。
【００３４】
（１）第２のタッチ操作が解除される場合
ステップＳ１３におけるスクロールバー２３の移動後、ユーザーは、電子書籍画像２４のスクロールを所望せず、部分４４から人差し指を離したものとする。タッチパネル１２によって第２のタッチ操作が検知されなくなると、制御部１０は、第２のタッチ操作は解除されていると判定し（ステップＳ１４にてＹＥＳ）、スクロールバー２３を第１の位置に移動させる（ステップＳ１８）。スクロールバー２３を第１の位置に戻した後、制御部１０は、ステップＳ１１の処理に戻る。
【００３５】
（２）第１のタッチ操作のみが解除される場合
ステップＳ１３におけるスクロールバー２３の移動後、ユーザーは、部分４４を人差し指でタッチしたままの状態で、部分４２から親指を離したものとする。タッチパネル１２によって第１のタッチ操作が検知されなくなり、第２のタッチ操作のみが検知されるようになると、制御部１０は、まず第２のタッチ操作は解除されていないと判定し（ステップＳ１４にてＮＯ）、さらに、第１のタッチ操作は解除されていると判定して（ステップＳ１５にてＹＥＳ）、タッチパネル１２を介した、ノブ２２に対するスライド操作の受付けを許可する（ステップＳ１６）。スライド操作の受付けの許可後、制御部１０は、第２のタッチ操作が解除されるまで待機する（ステップＳ１７にてＮＯ）。
【００３６】
この状態で、ユーザーは、電子書籍画像２４における所望の頁の画像を表示領域２５に表示させるために、ノブ２２に対し、第１方向Ｘのスライド操作を行なったものとする。この場合、タッチパネル１２によって上記のスライド操作が検知されると、制御部１０は、ノブ２２がスライド位置に表示されるまでノブ２２を移動させるとともに、電子書籍画像２４における移動後のノブ２２の位置に対応する部分が表示領域２５に表示されるまで、電子書籍画像２４を第１方向Ｘにスクロールさせる。
【００３７】
電子書籍画像２４のスクロールによって表示領域２５に所望の頁が表示されると、ユーザーは、部分４４から人差し指を離したものとする。タッチパネル１２によって第２のタッチ操作が検知されなくなると、制御部１０は、第２のタッチ操作は解除されていると判定し（ステップＳ１７にてＹＥＳ）、表示部１１に、スクロールバー２３を第１の位置に移動させる（ステップＳ１８）。スクロールバー２３を第１の位置に戻した後、制御部１０は、ステップＳ１１の処理に戻る。
【００３８】
なお、ステップＳ１３におけるスクロールバー２３の移動後、第１のタッチ操作及び第２のタッチ操作が維持されている間は、制御部１０は、第２のタッチ操作が解除されていないと判定するとともに（ステップＳ１４にてＮＯ）、第１のタッチ操作が解除されていないと判定し（ステップＳ１５にてＮＯ）、ステップＳ１３の処理を繰り返して実行する。
【００３９】
上記したように、電子書籍画像２４は１００頁分の画像を含んでいるので、ノブ２２の第１方向Ｘの長さは、本体２１の第１方向Ｘの長さの１００分の１の長さとなる。したがって、表示部１１に表示されているノブ２２の表示面積は、ユーザーの指の面積に対して小さくなる。このような場合、ユーザーは、ノブ２２に対して直接タッチ操作を行なうことが困難になる。
【００４０】
しかしながら、上記実施の形態によれば、制御部１０は、表示部１１に、第１方向Ｘに沿って延びる本体２１と、本体２１に配置されているノブ２２と、を含むスクロールバー２３を、予め定められている第１の位置に表示させる。制御部１０は、タッチパネル１２を介して、表示領域２５に対する第１のタッチ操作、及び、本体部分に対する第２のタッチ操作を同時期に受付けた場合に、表示部１１に、第２のタッチ操作が行なわれた第２の位置にノブ２２が表示されるように、スクロールバー２３を第１の位置から移動させる。
【００４１】
これによって、第１のタッチ操作及び第２のタッチ操作を行なうことによって、ユーザーは、ノブ２２が表示されている位置を把握してその位置に指を移動させる動作を行なうことによってノブ２２に対して直接タッチ操作を行なうという操作をしなくても、ノブ２２を選択することができるようになる。したがって、ノブ２２の表示面積が小さい場合であっても、ユーザーはノブ２２に対するタッチ操作を容易に行なうことができる。
【００４２】
また上記実施の形態によれば、制御部１０は、タッチパネル１２を介して第１のタッチ操作及び第２のタッチ操作を同時期に受付けた後に、第２のタッチ操作が解除された場合、表示部１１に、スクロールバー２３を第１の位置に移動させる。これによって、ユーザーは、容易に、スクロールバー２３を元の位置に戻して表示させることができる。
【００４３】
また上記実施の形態によれば、制御部１０は、タッチパネル１２を介して第１のタッチ操作及び第２のタッチ操作を同時期に受付けた場合に、タッチパネル１２を介した、ノブ２２に対する第１方向Ｘのスライド操作の受付けを禁止する。制御部１０は、タッチパネル１２を介して第１のタッチ操作及び第２のタッチ操作を同時期に受付けた後に、第１のタッチ操作のみが解除された場合、上記スライド操作の受付けを許可する。これによって、ノブの選択操作を行なっているときに、ノブに対するスライド操作が誤って受け付けられてしまうことを防止することができる。
【００４４】
また上記実施の形態によれば、制御部１０は、表示部１１に、スクロールバー２３とともに、電子書籍画像２４の一部分をスクロールバー２３が表示されていない表示領域２５に表示させる。制御部１０は、第１方向Ｘの長さについて、電子書籍画像２４の長さに対する表示部分の長さの割合と、本体２１の長さに対するノブ２２の長さの割合とが同じとなり、かつ、第１方向Ｘの位置について、本体２１におけるノブ２２の位置が電子書籍画像２４における表示部分の位置に対応するように、スクロールバー２３を表示させる。
【００４５】
制御部１０はまた、タッチパネル１２を介してノブ２２に対する第１方向Ｘのスライド操作を受け付けると、表示部１１に、ノブ２２がスライド位置に表示されるまでノブ２２を移動させるとともに、電子書籍画像２４における移動後のノブ２２の位置に対応する部分が表示領域２５に表示されるまで、電子書籍画像２４を第１方向Ｘにスクロールさせる。これによって、ユーザーは、ノブ２２に対するスライド操作によって、目的の画像を容易に表示させることができる。
【００４６】
（その他の変形例）
本発明は上記実施形態の構成に限られず種々の変形が可能である。例えば、上記実施形態では、表示装置としてスマートフォンを用いているが、これは一例に過ぎず、例えば、タブレット型端末が用いられてもよい。また、本発明に係る表示装置は、画像を記録媒体に形成するための画像形成部を含むカラー複合機、又はモノクロ複合機等の画像形成装置に搭載されていてもよい。
【００４７】
図１乃至図５を用いて示した上記実施の形態の構成及び処理は、本発明の一実施形態に過ぎず、本発明を当該構成及び処理に限定する趣旨ではない。
【符号の説明】
【００４８】
１      表示装置
１０    制御部
１１    表示部
１２  タッチパネル
【図１】
2020160738.tif 000003
【図２】
2020160738.tif 000004
【図３】
2020160738.tif 000005
【図４】
2020160738.tif 000006
【図５】
2020160738.tif 000007